(57)【特許請求の範囲】
【請求項１】
画像データと、該画像データが表す画像領域中に予め定められた複数の部分画像領域の各々に関連づけられた複数の音声データと、が含まれる再生データの入力を受け付ける入力手段と、
前記入力手段が受け付けた前記再生データから、前記複数の音声データを抽出する抽出手段と、
前記抽出手段により抽出された前記複数の音声データの少なくとも１つをユーザが選択するための選択画面を表示し、前記再生データに含まれる前記画像データが表す画像領域のうち、前記選択画面により選択された音声データに関連づけられた部分画像領域の画像を表示する表示制御手段と、
を備えることを特徴とする表示装置。
【請求項２】
前記再生データはさらに、前記複数の音声データのそれぞれに関連づけられた前記部分画像領域を示すメタデータを含み、
前記抽出手段は、前記再生データから、さらに前記メタデータを抽出し、
前記表示制御手段は、前記抽出手段により抽出されたメタデータに基づいて、前記複数の音声データのそれぞれに関連づけられた前記部分画像領域を示す情報を選択可能に前記選択画面に表示し、前記部分画像領域を示す情報のうち、ユーザが選択したものに対応する音声データに関連付けられた前記部分画像領域の画像を表示することを特徴とする請求項１に記載の表示装置。
【請求項３】
前記表示制御手段は、前記抽出手段により抽出されたメタデータの内容の変更を検出し、変更された内容に基づいて、前記選択画面における、前記複数の音声データに関連づけられた前記部分画像領域を示す情報の表示を更新することを特徴とする請求項２に記載の表示装置。
【請求項４】
前記表示制御手段は、前記複数の音声データのそれぞれと１対１で対応する複数のタブを選択可能に前記選択画面に表示し、前記複数のタブのうち、ユーザが選択したものに対応する音声データに関連付けられた前記部分画像領域の画像を表示することを特徴とする請求項１乃至３のいずれか一項に記載の表示装置。
【請求項５】
前記表示制御手段は、前記複数の音声データのそれぞれに関連づけられた前記部分画像領域の画像を、選択可能に前記選択画面に表示し、前記部分画像領域の画像のうち、ユーザが選択したものに対応する音声データに関連付けられた前記部分画像領域の画像を表示することを特徴とする請求項１乃至３のいずれか一項に記載の表示装置。
【請求項６】
前記表示制御手段は、前記選択画面として、前記画像データが表す画像領域全体の画像に、前記複数の音声データのそれぞれに関連づけられた前記部分画像領域を示す情報を選択可能に重畳表示し、前記部分画像領域を示す情報のうち、ユーザが選択したものに対応する音声データに関連付けられた前記部分画像領域の画像を表示することを特徴とする請求項１乃至３のいずれか一項に記載の表示装置。
【請求項７】
前記部分画像領域を示す情報は、該部分画像領域の輪郭を表す画像であることを特徴とする請求項６に記載の表示装置。
【請求項８】
前記再生データは予め記憶されたデータであることを特徴とする請求項１乃至７のいずれか一項に記載の表示装置。
【請求項９】
前記再生データは、動画像データと、該動画像データが表す画像領域中に予め定められた複数の部分画像領域の各々に関連づけられた複数の音声データと、が含まれるデータであることを特徴とする請求項１乃至８のいずれか一項に記載の表示装置。
【請求項１０】
前記表示制御手段は、前記選択画面により選択された音声データに関連付けられた部分画像領域の動画像の再生開始点をユーザが指示するための指示画面を表示し、前記選択画面により選択された音声データに関連付けられた動画像を前記指示画面により指示された再生開始点から表示することを特徴とする請求項９に記載の表示装置。
【請求項１１】
前記表示制御手段は、前記指示画面として、前記選択画面により選択された音声データに対応する部分画像領域の動画像における、該部分画像領域の位置および大きさの少なくとも一方の時間変化を表す履歴画像を一覧表示した画面を表示することを特徴とする請求項１０に記載の表示装置。
【請求項１２】
外部機器により送信された再生データを受信する受信手段を更に備え、
前記入力手段は、前記受信手段が受信した再生データの入力を受け付けることを特徴とする請求項１乃至１１のいずれか一項に記載の表示装置。
【請求項１３】
入力手段が、画像データと、該画像データが表す画像領域中に予め定められた複数の部分画像領域の各々に関連づけられた複数の音声データと、が含まれる再生データの入力を受け付ける入力工程と、
抽出手段が、前記入力工程で受け付けられた前記再生データから、前記複数の音声データを抽出する抽出工程と、
表示制御手段が、前記抽出工程により抽出された前記複数の音声データの少なくとも１つをユーザが選択するための選択画面を表示し、前記再生データに含まれる前記画像データが表す画像領域のうち、前記選択画面により選択された音声データに関連づけられた部分画像領域の画像を表示する表示制御工程と、
を含むことを特徴とする表示装置の制御方法。
【請求項１４】
コンピュータを、請求項１乃至請求項１２のいずれか一項に記載の表示装置の各手段として機能させるためのプログラム。
【発明の詳細な説明】
【技術分野】
【０００１】
本発明は、表示装置、その制御方法及びプログラムに関する。
【背景技術】
【０００２】
テレビ放送やＤＶＤ（Digital Versatile Disc）などの映像再生装置から提供される映像データは、１つの動画像データに対して異なる複数の音声データが関連付けられているものがある。以下、１つの動画像データに対して複数の異なる音声データが関連付けられた映像データを再生データと呼ぶ。このような再生データが入力されたテレビ等の表示装置では、再生データに含まれる動画像データに基づいた映像表示と、異なる複数の音声データに基づいた音声再生とが行われている。異なる複数の音声データとしては、例えば映画番組に関する再生データの場合、英語などの外国語の音声データとその日本語吹き替え音声データなどがある。さらに、異なる複数の音声データとしては、複数のスピーカのそれぞれに対応した音声データなどもある。具体的には、右左それぞれのスピーカに対応した２ｃｈ音声データ、さらに多くのスピーカでサラウンド再生を行うための５．１ｃｈ音声データなどである。
【０００３】
近年、動画像データは、高画素化が進んでおり、画像の一部の領域を切り出して拡大表示しても視聴に耐える画質で表示可能である。このような背景から、表示装置のなかには、動画像データが表す画像領域の中からユーザの好みで特定の領域を切り出して拡大表示する機能を有するものもある。この、動画像データから特定の領域を切り出して表示可能な表示装置に関する有用な技術としては、特許文献１、２が知られている。特許文献１には、ユーザが切り出し領域を設定する作業負荷を軽減させるため、切り出し再生に関する切り出し枠の情報をメタデータで管理することが記載されている。特許文献２には、動画像データを任意の画角で再生する際に、その画角に応じて複数のスピーカのそれぞれに対応した音声データの演算処理を行い、再生画角に適した音声再生を行うことが記載されている。
【特許文献１】特開２００４−１７２６７１号公報
【特許文献２】特開２００６−２８７５４４号公報
【発明の開示】
【発明が解決しようとする課題】
【０００４】
上述した従来技術や動画像データの高画素化が一層進むことを鑑みると、将来の再生データには、動画像データが表す画像領域中の複数の部分画像領域の各々に関連付けられた複数の音声データが含まれることが想定される。従って、表示装置においては、この将来の再生データに含まれると想定される動画像データから切り出す画像領域ごとの音声データのいずれかを選択して、ユーザによる切り出し再生を行うことを可能とする技術開発が望まれる。
【０００５】
本発明は、画像データと、この画像データが表す画像領域中の複数の部分画像領域に関連付けられた複数の音声データを有する再生データを再生する際、表示する部分画像領域を容易に選択可能な表示装置及びその制御方法を提供することを目的とする。
【課題を解決するための手段】
【０００６】
上記目的は、画像データと、該画像データが表す画像領域中に予め定められた複数の部分画像領域の各々に関連づけられた複数の音声データと、が含まれる再生データの入力を受け付ける入力手段と、前記入力手段が受け付けた前記再生データから、前記複数の音声データを抽出する抽出手段と、前記抽出手段により抽出された前記複数の音声データの少なくとも１つをユーザが選択するための選択画面を表示し、前記再生データに含まれる前記画像データが表す画像領域のうち、前記選択画面により選択された音声データに関連づけられた部分画像領域の画像を表示する表示制御手段と、を備えることを特徴とする表示装置によって達成される。
【０００７】
また、上記目的は、入力手段が、画像データと、該画像データが表す画像領域中に予め定められた複数の部分画像領域の各々に関連づけられた複数の音声データと、が含まれる再生データの入力を受け付ける入力工程と、抽出手段が、前記入力工程で受け付けられた前記再生データから、前記複数の音声データを抽出する抽出工程と、表示制御手段が、前記抽出工程により抽出された前記複数の音声データの少なくとも１つをユーザが選択するための選択画面を表示し、前記再生データに含まれる前記画像データが表す画像領域のうち、前記選択画面により選択された音声データに関連づけられた部分画像領域の画像を表示する表示制御工程と、を含むことを特徴とする表示装置の制御方法によっても達成される。
【発明の効果】
【０００８】
このような構成により、本発明によれば、画像データと、この画像データが表す画像領域中の複数の部分画像領域に関連付けられた複数の音声データを有する再生データを再生する際、表示する部分画像領域を容易に選択可能とすることができる。
【発明を実施するための最良の形態】
【０００９】
以下、この発明の実施の形態について図を参照して説明するが、この発明は以下の実施の形態に限定されない。また、この発明の実施の形態は発明の最も好ましい形態を示すものであり、発明の範囲を限定するものではない。
【００１０】
［第１実施形態］
先ず、本発明に係る表示装置の第１実施形態について、図１〜図９を参照して詳細に説明する。ここで、図１は、本発明に係る表示装置１の使用形態を例示する概念図である。図２は、表示装置１の機能的構成を模式的に示したブロック図である。図３は、再生データ２００のデータフォーマットの概要を例示する概念図である。図４は、メタデータファイル３００の内容を例示する概念図である。図５は、記録部１０７のフォルダ構成を例示する概念図である。図６は、メタデータファイルのデータフォーマットを例示する概念図である。図７は、表示装置１の第１実施形態に係る動作を例示するフローチャートである。図８、図９は、表示画面を例示する概念図である。
【００１１】
図１に示すように、表示装置１は、遠隔操作装置２などによりユーザからの操作が可能なテレビジョン受信装置などである。表示装置１は、アンテナ３により放送局などの外部機器から送信された動画像データや音声データを含む映像データ（以下、「再生データ」という）を受信し、その受信した再生データに基づいた動画像や音声を再生する。
【００１２】
ここで表示装置１の内部構成について説明する。図２に示すように、表示装置１は、各部の制御を行う構成として、チューナ制御部１０１、メイン制御部１０３、表示制御部１０４、記録制御部１０６、音声制御部１０９、遠隔操作制御部１１１を備える。また、表示装置１は、上記制御構成によって制御される、チューナ１０２、表示部１０５、記録制御部１０６、記憶部１０８、音声出力部１１０、遠隔操作信号受信部１１２を備える。
【００１３】
チューナ制御部１０１は、メイン制御部１０３の制御の下、チューナ１０２におけるチューニング状態を制御する。チューナ１０２は、チューナ制御部１０１の制御要求に応じてアンテナ３により受信した放送信号のチューニングを行う。表示装置１では、このチューナ制御部１０１、チューナ１０２により放送局から送信された再生データを受信することで、その再生データの入力を受け付ける。
【００１４】
メイン制御部１０３は、例えばＣＰＵ（Central Processing Unit）などであり、表示装置１の各部に制御信号を出力してその動作を中央制御する。具体的には、メイン制御部１０３は、記録部１０７に記憶されたプログラムデータを記憶部１０８の作業領域に展開し、その展開されたプログラムデータとの協働により表示装置１の各部を制御する。記憶部１０８は、例えばＲＡＭ（Random Access Memory）などであり、メイン制御部１０３が各種処理を行う際の作業領域を提供する。
【００１５】
表示制御部１０４は、例えばＤＳＰ（Digital Signal Processor）などであり、メイン制御部１０３の制御の下で表示部１０５の表示を制御する。具体的には、表示制御部１０４は、動画像データ等の表示部１０５の表示に係るデータに所定の画像処理を施して、その画像処理後の表示データを表示部１０５へ出力する。表示制御部１０４が施す画像処理には、色変換や拡大縮小などの画像処理の他に、各種操作入力を受け付ける操作画面を表示部１０５へ表示させるための画像データの生成、動画像データを設定された画像領域で切り出す画像処理などが含まれる。表示部１０５は、表示制御部１０４から出力される表示データを表示画面に表示する。具体的には、表示部１０５は、ＰＤＰ、ＬＣＤ、ＳＥＤなどを用いたものであってよい。ここで、ＰＤＰは、Plasma  Display  Panelの略語である。また、ＬＣＤは、Liquid  Crystal  Displayの略語である。また、ＳＥＤは、Surface-Conduction  Electron-emitter  Displayの略語である。
【００１６】
記録制御部１０６は、メイン制御部１０３の制御の下、記録部１０７におけるデータの読み込み又は書き込みを制御する。記録部１０７は、記録制御部１０６の制御に基づいてデータの格納や、格納されたデータの読み出しを行う。具体的には、記録部１０７は、ＨＤＤ（Hard Disk Drive）、半導体メモリ、着脱可能なＤＶＤなどの記録媒体からデータの読み込み又は書き込みを行うストレージである。記録部１０７には、メイン制御部１０３が実行するプログラムデータや、各種設定データ、再生データなどが格納されている。なお、表示装置１は、この記録制御部１０６、記録部１０７によりＤＶＤなどの記録媒体に格納された再生データを読み出すことで、再生データの入力を受け付けてもよい。
【００１７】
音声制御部１０９は、メイン制御部１０３の制御の下で音声出力部１１０の音声出力を制御する。具体的には、音声制御部１０９は、音声出力部１１０の音声再生に係る音声データに対して増幅や変調などの音声処理を施して、その音声処理後の音声データを音声出力部１１０へ出力する。音声出力部１１０は、スピーカなどであり、音声制御部１０９から出力される音声データに基づいて音声を出力する。
【００１８】
遠隔操作制御部１１１は、遠隔操作信号受信部１１２において、遠隔操作装置２から出力される遠隔操作信号の受信を制御する。遠隔操作制御部１１１は、遠隔操作信号受信部１１２で遠隔操作信号が受信された場合、その受信された遠隔操作信号をメイン制御部１０３へ出力する。表示装置１は、この遠隔操作制御部１１１、遠隔操作信号受信部１１２により、ユーザからの遠隔操作装置２を介した操作指示を受け付ける。
【００１９】
次に、表示装置１に入力される再生データのデータフォーマットの概要を説明する。図３に示すように、再生データ２００は、ヘッダー領域２０１、動画データ領域２０２、第１音声データ領域２０３〜第５音声データ領域２０７、メタデータ領域２０８〜２１１を含む。すなわち、チューナ制御部１０１、チューナ１０２により受信された再生データは、上述したデータフォーマットとなっている。
【００２０】
ヘッダー領域２０１は、動画データ領域２０２における各フレームのタイムスタンプなどフレーム固有の情報が格納される領域である。動画データ領域２０２は、表示部１０５で表示する動画像データが格納される領域である。第１音声データ領域２０３は、動画像データを所定の画像領域で切り出すことなく、画像領域全体の画像で再生する場合の音声データが格納される領域である。第２音声データ領域２０４〜第５音声データ領域２０７のそれぞれは、動画像データを所定の部分画像領域で切り出して再生する場合における、部分画像領域ごとの音声データが格納される領域である。また、第２音声データ領域２０４〜第５音声データ領域２０７のそれぞれには、部分画像領域を管理するメタデータが格納されるメタデータ領域２０８〜２１１が関連づけられている。
【００２１】
再生データ２００では、上述したデータフォーマットにより、動画像データと、その動画像データを切り出す部分画像領域ごとに独立した音声データと、が含まれるデータ構成である。例えば図４の例では、動画像データの全ての画像領域において切り出される４つの部分画像領域に対応する４つの音声データが含まれるデータ構成である。
【００２２】
次に、第２音声データ領域２０４〜第５音声データ領域２０７に格納される各音声データのそれぞれに関連づけられてメタデータ領域２０８〜２１１に格納され、部分画像領域を管理するメタデータの詳細について説明する。図４に示すように、メタデータファイル３００は、映像名３０１、音声データＩＤ３０２、タイムスタンプ３０３、切り出し座標３０４、切り出し高さ３０５、切り出し幅３０６、アイコン情報３０７を含む。
【００２３】
映像名３０１は、動画像データの名称である。この映像名３０１により、どの動画像データに対応したメタデータであるかを識別することが可能となる。音声データＩＤ３０２は、第２音声データ領域２０４〜第５音声データ領域２０７のいずれの音声データに関連付けられているかを示す識別情報である。タイムスタンプ３０３は、前述した部分画像領域での切り出しが動画像データのどの時間で行われるかを示す時間情報である。切り出し座標３０４は、動画像データから切り出すべき部分画像領域を設定する際の、切り出し開始位置を示す座標情報である。切り出し高さ３０５、切り出し幅３０６は、それぞれ切り出すべき部分画像領域の高さと幅を示す情報である。表示装置１では、切り出し座標３０４、切り出し高さ３０５、切り出し幅３０６により、動画像データからの切り出しが可能となる。アイコン情報３０７は、切り出しに関するメタデータをＧＵＩ（Graphical User Interface）などの操作画面に表示する際に、そのメタデータを識別するための象徴的な画像データである。
【００２４】
上述したように、第２音声データ領域２０４〜第５音声データ領域２０７のそれぞれには、動画像データから切り出す部分画像領域を管理するメタデータが関連づけられている。従って、表示装置１は、第２音声データ領域２０４〜第５音声データ領域２０７が選択された場合、その選択された音声データに関連づけられたメタデータを読み出すことで、動画像データの切り出し再生を行うことが可能となる。
【００２５】
次に、再生データ２００が予め記録部１０７に記憶済みである場合について説明する。図８に示すように、記録部１０７は、フォルダにより階層的にデータを格納する構造となっている。この記録部１０７において、再生データは、その再生データに含まれる動画像データ及び音声データを動画像ファイル、その再生データに含まれるメタデータをメタデータファイルとして所定のフォルダに格納される。
【００２６】
具体的には、ＲＯＯＴフォルダ４０１には再生データを専用に格納するためのＭＯＶＩＥフォルダ４０２が格納されている。ＭＯＶＩＥフォルダ４０２には、切り出し再生などが行われない通常の再生データを記録するＮＯＲＭＡＬ＿ＭＯＶフォルダ４０３、切り出し再生を行う再生データを記録するＣＬＩＰＰＩＮＧ＿ＭＯＶフォルダ４０４が格納されている。ＮＯＲＭＡＬ＿ＭＯＶフォルダ４０３には、通常の再生データがＭｏｖ＿０００１．ｍｏｖファイル４０５として記録されている。ＣＬＩＰＰＩＮＧ＿ＭＯＶフォルダ４０４には、切り出し再生を行う再生データの動画像データがＣｌｉｐ０００１．ｍｏｖファイル４０６として記録されている。なお、切り出し再生を行う再生データが複数ある場合は、ＣＬＩＰＰＩＮＧ＿ＭＯＶフォルダ４０４以下において、再生データごとに作成されたフォルダに各再生データが記録される。
【００２７】
また、ＣＬＩＰＰＩＮＧ＿ＭＯＶフォルダ４０４には、０１．ｍｅｔａファイル４０７、０２．ｍｅｔａファイル４０８、０３．ｍｅｔａファイル４０９、０４．ｍｅｔａファイル４１０が記録されている。０１．ｍｅｔａファイル４０７〜０４．ｍｅｔａファイル４１０は、Ｃｌｉｐ０００１．ｍｏｖファイル４０６から切り出す部分画像領域ごとの各音声データに関連したメタデータである。０１．ｍｅｔａファイル４０７〜０４．ｍｅｔａファイル４１０の各ファイルはテキスト形式でメタデータを記録している。
【００２８】
従って、表示装置１は、切り出し再生対応の再生データを再生する際に、ＲＯＯＴフォルダ４０１→ＭＯＶＩＥフォルダ４０２→ＣＬＩＰＰＩＮＧ＿ＭＯＶフォルダ４０４の順に階層を進み、フォルダ内から切り出し再生に対応した再生データを取得する。よって、表示装置１は、切り出し再生時において、切り出し再生に対応した再生データを格納するフォルダ以下を参照するだけでよく、切り出し再生に対応した再生データを素早く見つけ出すことが可能となる。
【００２９】
なお、表示装置１は、切り出す部分画像領域ごとの各音声データに関連したメタデータを、ＣＬＩＰＰＩＮＧ＿ＭＯＶフォルダ４０４へ０１．ｍｅｔａファイル４０７〜０４．ｍｅｔａファイル４１０として記録している。表示装置１では、切り出し再生を行う動画像データを記録部１０７へ記録する際に、各音声データに関連したメタデータを抽出してテキストファイルとして記録している。
【００３０】
図６に示すように、メタデータを記録したテキストファイルである０１．ｍｅｔａファイル４０７〜０４．ｍｅｔａファイル４１０は、ヘッダー領域５０１と、履歴領域５０２〜履歴領域５０８を含む構成である。ヘッダー領域５０１は、対応する動画像ファイルのファイル名、関連する音声データを示す音声データＩＤなどの情報が格納される領域である。履歴領域５０２〜５０８は、切り出す部分画像領域について、タイムスタンプの進行に従った履歴情報（メタデータ）が格納される領域である。この履歴領域５０２〜５０８には、画像の切り出し座標、切り出し高さ、切り出し幅のいずれかの情報の変化をトリガとして、履歴領域５０２、５０３、５０４、５０５、５０６、５０７、５０８の順にメタデータが格納されている。
【００３１】
上述したように、表示装置１では、切り出す部分画像領域の履歴を、Ｃｌｉｐ０００１．ｍｏｖファイル４０６とは別に０１．ｍｅｔａファイル４０７〜０４．ｍｅｔａファイル４１０として記録している。従って、表示装置１では、再生データに含まれるＣｌｉｐ０００１．ｍｏｖファイル４０６から切り出し再生を行う際に、そのＣｌｉｐ０００１．ｍｏｖファイル４０６全体を解析することなく、上記テキストファイルを解析するのみでよい。
【００３２】
次に、メイン制御部１０３の制御の下で行われる表示装置１の処理であり、切り出す部分画像領域ごとの音声データを選択するための選択画面を表示部１０５に表示するまでの処理の流れについて詳細に説明する。なお、以下に説明する第１実施形態の処理において、再生データは、記録部１０７に予め記憶されたデータであり、その記録部１０７から読み出されたデータである。
【００３３】
図７に示すように、処理が開始されると、メイン制御部１０３は、ユーザの操作指示を遠隔操作装置２から受け付けて、切り出し再生を行う再生モードの選択の有無を判定する（Ｓ１０１）。なお、切り出しを行う再生モードは、通常の再生モードとは異なる再生モードとして管理されていることを想定しており、本実施形態においては、それを「切り出し再生モード」とする。
【００３４】
Ｓ１０１において、切り出し再生モードが選択されない場合（ＮＯ）、メイン制御部１０３は、Ｓ１０１の処理を繰り返して行い、上記再生モードが選択されるまで待機する。切り出し再生モードが選択された場合（ＹＥＳ）、メイン制御部１０３は、切り出し再生が可能な再生データの一覧を表示部１０５に表示させる（Ｓ１０２）。このＳ１０２における切り出し再生が可能な再生データの取得は、メイン制御部１０３が前述した記録部１０７のフォルダを参照することにより行われる。すなわち、メイン制御部１０３は、切り出し再生に対応した再生データを格納するフォルダ以下を参照することで、一覧表示を行うべき再生データの情報を取得できる。
【００３５】
Ｓ１０２において、メイン制御部１０３は、取得した再生データのそれぞれについて、サムネイル画像を生成し、図８（ａ）に示すような表示画面Ｇ１を表示部１０５に表示する。表示画面Ｇ１は、切り出し再生に対応した再生データを一覧表示する画面である。表示画面Ｇ１には、切り出し再生に対応した再生データを示すサムネイル画像Ｇ１１が表示されている。
【００３６】
次いで、メイン制御部１０３は、遠隔操作装置２からの操作指示に基づいて、一覧表示された再生データからいずれかの再生データの選択が行われたか否かを判定する（Ｓ１０３）。Ｓ１０３において、再生データが選択されない場合（ＮＯ）、メイン制御部１０３は、Ｓ１０３の処理を繰り返して行い、再生データが選択されるまで待機する。Ｓ１０３において、再生データが選択された場合（ＹＥＳ）、メイン制御部１０３は、切り出し再生用一覧表示画面の雛形画面を生成する（Ｓ１０４）。この切り出し再生用一覧表示画面とは、切り出す部分画像領域ごとの音声データを一覧表示して、いずれかの音声データの選択を受け付ける選択画面である。なお、この雛形画面の生成は、記録部１０７に格納された各種設定データの中から雛形画面に関するデータを読み出して行われる。
【００３７】
このＳ１０４において生成された雛形画面は、図８（ｂ）に示すような表示画面Ｇ２であり、表示部１０５に表示される。表示画面Ｇ２には、選択された再生データの名称などがタイトルＧ２１に表示される。また、表示画面Ｇ２には、切り出す部分画像領域ごとの音声データを選択するためのタブＧ２２〜Ｇ２５が表示される。タブＧ２２〜Ｇ２５には、Ｓ１０５以降の処理により抽出される音声データに関する情報が表示される。
【００３８】
次に、メイン制御部１０３は、選択された再生データから切り出す部分画像領域ごとの各音声データを抽出する（Ｓ１０５）。この音声データの抽出は、選択された再生データの動画像データ及び音声データが記録された動画像データファイルを解析することにより行われる。次いで、メイン制御部１０３は、Ｓ１０４により生成された雛形画面において、Ｓ１０５により抽出された音声データのそれぞれと１対１で対応するタブを生成する処理を行う（Ｓ１０６）。このＳ１０６におけるタブ生成処理では、Ｓ１０５により抽出された音声データに関連づけられたメタデータが読み出され、音声ＩＤやアイコン情報が取得され、その取得された音声ＩＤを示す文字列とアイコンがタブ上に表示される。
【００３９】
次いで、メイン制御部１０３は、選択された再生データから全ての音声データを抽出したか否かを判定し（Ｓ１０７）、抽出していない場合はＳ１０５へ戻る。例えば、図３に例示したように、再生データに含まれる切り出す部分画像領域ごとの音声データが４種類ある場合は、Ｓ１０５〜Ｓ１０７の処理が４回繰り返されることとなる。従って、表示装置１では、Ｓ１０６のタブ生成処理が抽出された全ての音声データに対して行われるため、複数あるタブがどの音声データと１対１に対応しているかを判りやすく表示することができる。
【００４０】
全ての音声データを抽出した後（Ｓ１０７：ＹＥＳ）、メイン制御部１０３は、タブにより選択された選択対象の音声データに関連づけられたメタデータを抽出する（Ｓ１０８）。上述したように、メタデータは再生データを格納するフォルダ内にテキストファイルとして記録されているため、Ｓ１０８におけるメタデータの抽出は、そのテキストファイルを解析して行われる。
【００４１】
メタデータファイルは、各音声データの部分画像領域の変化をタイムスタンプと共に記録したデータである。従って、メイン制御部１０３は、メタデータファイルからメタデータを抽出し、その抽出したメタデータを用いて動画像データを解析することで、動画の切り出しタイミングとそのタイミングでの部分画像領域を特定することが可能となる。
【００４２】
Ｓ１０８に次いで、メイン制御部１０３は、抽出したメタデータを用いて動画像データから画像を切り出す処理、すなわち、抽出されたメタデータに関連する部分画像領域の画像の取得を行う（Ｓ１０９）。このＳ１０９における動画像データからの画像の切り出しは、メタデータ内のタイムスタンプから動画像データ内のフレームを特定し、その特定されたフレームから切り出して行われる。なお、フレームから切り出す部分画像領域は、メタデータ内の切り出し座標、切り出し高さ、切り出し幅である。
【００４３】
Ｓ１０９に次いで、メイン制御部１０３は、Ｓ１０８までの処理で生成された切り出し再生用画面に、Ｓ１０９で取得した切り出し画像と、メタデータのタイムスタンプなどの情報と、表示部１０５に合わせて表示する処理を行う（Ｓ１１０）。具体的には、図９（ａ）に示すように、切り出し画像Ｇ３１とそのタイムスタンプを合わせて表示する表示画面Ｇ３が表示部１０５に表示される。
【００４４】
Ｓ１１０に次いで、メイン制御部１０３は、全てのメタデータの抽出を行い、そのメタデータの変化点の検出、すなわち、切り出す部分画像領域の切り出し座標、切り出し高さ、切り出し幅の変更を検出する。次いで、メイン制御部１０３は、検出したメタデータの変更に対する処理を行ったか否かを判定する（Ｓ１１１）。図６に例示したように、メタデータファイルにおいて、７回の変化が記録されている場合は、Ｓ１０８〜Ｓ１１１の処理が７回繰り替えされることとなる。
【００４５】
表示装置１は、Ｓ１１１までの処理を全てのメタデータに対して行うことで、図９（ｂ）に示すような切り出し再生を補助する表示画面Ｇ４を表示部１０５に表示する。例えば上述した７回の変化が記録されている場合、表示画面Ｇ４には、７回の変化点で切り出した切り出し画像Ｇ３１〜Ｇ３７が表示されることとなる。表示画面Ｇ４では、各音声データに対応したタブの中で、その音声データに関連した部分画像領域が変化している履歴画像がタイムスタンプと共にインデックス表示されている。すなわち、表示画面Ｇ４は、タブにより選択された音声データに関連した部分画像領域の履歴画像が時系列で表示され、いずれかの履歴画像を選択することで、再生の開始を行う再生開始点を選択可能とする指示画面である。
【００４６】
この表示画面Ｇ４により、ユーザは、タイトルＧ２１により選択された第１音声データに関連する切り出す部分画像領域がタイムスタンプの進行に伴い変化している様子を認識することが可能となる。また、各タブには音声データを示す文字情報と象徴的なアイコンが表示されるため、ユーザは音声データ自体を直感的に識別することが可能となる。ユーザは、所望の履歴画像を選択することにより、対応するタイムスタンプを再生開始点とした切り出し再生を利用することが可能となる。この履歴画像の選択は遠隔操作装置２を用いて行われる。また、遠隔操作装置２の操作により別のタブが選択された場合には、その選択されたタブの音声データに関連づけられているメタデータに基づいてＳ１０８〜Ｓ１１１の処理が行われる。従って、表示装置１では、選択されたタブの音声データに関連した部分画像領域のインデックス表示が表示部１０５で行われることとなる。
【００４７】
全てのメタデータの抽出が行われた後（Ｓ１１１：ＹＥＳ）、メイン制御部１０３は、切り出し再生を行う動画像の選択を遠隔操作装置２から受け付け、その選択に基づいた表示部１０５での動画再生と、音声出力部１１０での音声再生を行う（Ｓ１１２）。具体的には、メイン制御部１０３は、選択されたタブの音声データに基づいた音声再生と、その音声データに関連した部分画像領域で切り出した動画再生とを、選択された動画像のタイムスタンプから行う。
【００４８】
［第２実施形態］
次に、放送された再生データをアンテナで受信し、その再生データをリアルタイムに解析して、切り出し再生を行う表示装置の第２実施形態について、図１０、図１１を参照して詳細に説明する。なお、第２実施形態における装置構成などは前述した第１実施形態における表示装置１と同じであるため説明を省略し、以下の説明では第２実施形態に係る動作についてを詳細に説明する。ここで、図１０は、第２実施形態に係る動作を例示するフローチャートである。図１１は、表示画面を例示する概念図である。
【００４９】
図１０に示すように、処理が開始されると、メイン制御部１０３は、ユーザの操作指示を遠隔操作装置２から受け付けて、切り出し再生を行う再生モードの選択の有無を判定する（Ｓ２０１）。なお、切り出しを行う再生モードは、前述した第１実施形態と同様であり、それを「切り出し再生モード」とする。
【００５０】
Ｓ２０１において、切り出し再生モードが選択されない場合（ＮＯ）、メイン制御部１０３は、Ｓ２０１の処理を繰り返して行い、上記再生モードが選択されるまで待機する。切り出し再生モードが選択された場合（ＹＥＳ）、メイン制御部１０３は、切り出し再生が可能な再生データの一覧を表示部１０５に表示させる（Ｓ２０２）。本実施形態では、表示装置１が放送された再生データを受信してリアルタイムに処理していることを想定しているため、メイン制御部１０３がチューナ制御部１０１を制御することで放送波の中から切り出し再生に対応した再生データを抽出し、一覧表示している。なお、抽出される切り出し再生に対応した再生データとは、図３に例示したデータフォーマットの再生データである。
【００５１】
次いで、メイン制御部１０３は、遠隔操作装置２からの操作指示に基づいて、一覧表示された再生データからいずれかの再生データの選択が行われたか否かを判定する（Ｓ２０３）。このＳ２０３において、再生データが選択されない場合（ＮＯ）、メイン制御部１０３は、Ｓ２０３の処理を繰り返して行い、再生データが選択されるまで待機する。Ｓ２０３において、再生データが選択された場合（ＹＥＳ）、メイン制御部１０３は、記録部１０７に格納された各種設定データの中から雛形画面に関するデータを読み出して、切り出し再生専用画面の雛形画面を表示部１０５に表示させる（Ｓ２０４）。
【００５２】
この表示部１０５に表示される切り出し再生専用画面の雛形画面は、図１１（ａ）に例示した表示画面Ｇ５であり、全画像領域を表示する表示領域Ｇ５１、各音声データに関連した部分画像領域を表示する表示領域Ｇ５２〜Ｇ５５を有する構成である。すなわち、表示画面Ｇ５において、表示領域Ｇ５１には、図３に例示した動画データ領域２０２を画像領域全体で再生した映像が表示される。同様に、表示領域Ｇ５２には、第２音声データ領域２０４に対応する部分画像領域で切り出された映像が表示される。また、表示領域Ｇ５３には、第３音声データ領域２０５に対応する部分画像領域で切り出された映像が表示される。また、表示領域Ｇ５４には、第４音声データ領域２０６に対応する部分画像領域で切り出された映像が表示される。また、表示領域Ｇ５５には、第５音声データ領域２０７に対応する部分画像領域で切り出された映像が表示される。
【００５３】
次いで、メイン制御部１０３は、受信した再生データから音声データの抽出を行う（Ｓ２０５）。本実施形態において、再生データは図３に例示したデータフォーマットを想定しているため、最初に行われるＳ２０５では、第２音声データ領域２０４が抽出されることとなる。なお、第３音声データ領域２０５〜第５音声データ領域２０７については、後述するＳ２０９から戻って行われる処理により順次抽出される。
【００５４】
次いで、メイン制御部１０３は、抽出された第２音声データ領域２０４に関連付けられたメタデータ領域２０８の解析を行う（Ｓ２０６）。このＳ２０６により、メイン制御部１０３は、第２音声データ領域２０４に関連付けられた部分画像領域の座標情報、第２音声データ領域２０４に対応するアイコン情報などを入手することが可能となる。
【００５５】
次いで、メイン制御部１０３は、Ｓ２０６により入手した切り出す部分画像領域の座標情報に従って、動画データ領域２０２から対応する画像領域の動画像を抽出する（Ｓ２０７）。次いで、メイン制御部１０３は、抽出した動画像と、アイコン情報と、を上述した表示領域Ｇ５２に表示させる（Ｓ２０８）。次いで、メイン制御部１０３は、動画データ領域２０２に関連している第２音声データ領域２０４〜第５音声データ領域２０７の全てを抽出して処理を行ったか否かを判定する（Ｓ２０９）。本実施形態では、図３に例示したように、動画データ領域２０２について４つの切り出し対応の音声データが関連付けられているため、以後、Ｓ２０５〜Ｓ２０９までの処理を３回繰り返すことで、図１１（ｂ）に示すような表示画面Ｇ６を得ることが可能となる。すなわち、表示部１０５には、表示領域Ｇ５１における動画データ領域２０２のメイン表示以外に、各音声データに関連した部分画像領域の動画像が表示領域Ｇ５２〜Ｇ５５に表示されることとなる。
【００５６】
次いで、メイン制御部１０３は、再生データに含まれるメタデータに変更があるか否かを判定する（Ｓ２１０）。このＳ２１０は、本実施形態が放送された再生データのリアルタイム処理を想定しているため、切り出す部分画像領域の変化をチェックする必要があることから行われる処理である。すなわち、Ｓ２１０で判定されるメタデータの変更とは、動画像からの切り出す部分画像領域の変更などである。
【００５７】
メタデータに変更がない場合（ＮＯ）、メイン制御部１０３は、Ｓ２１０の処理を繰り返して行い、メタデータの変更があるまで待機する。メタデータに変更がある場合（ＹＥＳ）、メイン制御部１０３は、変更があったメタデータの解析を行い、変更があった部分画像領域に関する情報などを取得する（Ｓ２１１）。次いで、メイン制御部１０３は、Ｓ２１１において取得した部分画像領域に関する情報に従って、動画データ領域２０２から対応する部分画像領域の動画像を抽出する（Ｓ２１２）。次いで、メイン制御部１０３は、変更されたメタデータに関する動画像を表示する領域（表示領域Ｇ５２〜Ｇ５５）の動画像を抽出した動画像で置き換えて、部分画像領域の画像情報を更新する（Ｓ２１３）。
【００５８】
次いで、メイン制御部１０３は、遠隔操作装置２からの操作指示に基づいて、切り出し再生モードの終了の有無を判定する（Ｓ２１４）。切り出し再生モードを終了しない場合（ＮＯ）、メイン制御部１０３は、Ｓ２１０の処理へ戻り、引き続きメタデータの変更による部分画像領域の変化をチェックする。
【００５９】
上述した処理により、図１１（ｂ）に示すように、表示画面Ｇ６の表示領域Ｇ５１には、受信した再生データ２００の動画データ領域２０２に従った画像領域全ての映像が表示される。また、表示領域Ｇ５２〜Ｇ５５には、各音声データに関連した部分画像領域の映像が表示されており、その映像はメタデータの変更と連動して随時更新されることとなる。また、表示領域Ｇ５２〜Ｇ５５には、各音声データを示す文字情報やアイコンが表示されているため、ユーザは音声データ自体を直感的に識別することが可能となる。ユーザは、表示領域Ｇ５２〜Ｇ５５の中から所望の部分画像領域を選択することにより、その領域に表示されている映像での切り出し再生を楽しむことが可能である。この領域の選択は遠隔操作装置２を用いて行われる。すなわち、表示装置１では、遠隔操作装置２からの操作により、ユーザが所望する切り出し映像を選択して、対応する音声データに関連した切り出し再生を行うことが可能である。
【００６０】
［第３実施形態］
次に、放送された再生データをアンテナで受信し、その再生データをリアルタイムに解析して、切り出し再生を行う表示装置の第３実施形態について、図１２、図１３を参照して詳細に説明する。なお、第３実施形態における装置構成などは前述した第１、２実施形態における表示装置１と同じであるため説明を省略し、以下の説明では第３実施形態に係る動作についてを詳細に説明する。ここで、図１２は、第３実施形態に係る動作を例示するフローチャートである。図１３（ａ）は、画像領域を示す切り出し枠Ｇ７１を重畳表示した画像Ｇ７を例示する概念図である。図１３（ｂ）は、表示部１０５に表示する画像Ｇ８を例示する概念図である。
【００６１】
図１２に示すように、処理が開始されると、メイン制御部１０３は、ユーザの操作指示を遠隔操作装置２から受け付けて、切り出し再生を行う再生モードの選択の有無を判定する（Ｓ３０１）。なお、切り出し再生を行う再生モードは、前述した第１、２実施形態と同様であり、それを「切り出し再生モード」とする。
【００６２】
Ｓ３０１において、切り出し再生モードが選択されない場合（ＮＯ）、メイン制御部１０３は、Ｓ３０１の処理を繰り返して行い、上記再生モードが選択されるまで待機する。切り出し再生モードが選択された場合（ＹＥＳ）、メイン制御部１０３は、切り出し再生が可能な再生データの一覧を表示部１０５に表示させる（Ｓ３０２）。本実施形態では、前述した第２実施形態と同様に、放送された再生データから切り出し再生に対応した再生データを抽出して一覧表示している。
【００６３】
次いで、メイン制御部１０３は、遠隔操作装置２からの操作指示に基づいて、一覧表示された再生データからいずれかの再生データの選択が行われたか否かを判定する（３２０３）。このＳ３０３において、再生データが選択されない場合（ＮＯ）、メイン制御部１０３は、Ｓ３０３の処理を繰り返して行い、再生データが選択されるまで待機する。Ｓ３０３において、再生データが選択された場合（ＹＥＳ）、メイン制御部１０３は、選択された時点の動画像フレームを静止画像として、再生データに含まれる動画像データから取得する（Ｓ３０４）。
【００６４】
次いで、メイン制御部１０３は、受信した再生データから音声データの抽出を行う（Ｓ３０５）。本実施形態において、再生データは図３に例示したデータフォーマットを想定しているため、最初に行われるＳ３０５では、第２音声データ領域２０４が抽出されることとなる。なお、第３音声データ領域２０５〜第５音声データ領域２０７については、後述するＳ３０８から戻って行われる処理により順次抽出される。
【００６５】
次いで、メイン制御部１０３は、抽出された第２音声データ領域２０４に関連づけられたメタデータ領域２０８の解析を行う（Ｓ３０６）。このＳ３０６により、メイン制御部１０３は、第２音声データ領域２０４に関連づけられた部分画像領域の座標情報、第２音声データ領域２０４に対応するアイコン情報などを入手することが可能となる。
【００６６】
次いで、メイン制御部１０３は、Ｓ２０６により入手した部分画像領域の座標情報、アイコン情報などに従って、その部分画像領域の輪郭を示す枠、アイコン情報、音声情報などを、Ｓ３０４により取得した静止画像に重畳表示させる（Ｓ３０７）。具体的には、図１３（ａ）に示すように、部分画像領域の輪郭を示す画像である部分画像領域に沿った切り出し枠Ｇ７１、アイコン、音声情報などがＳ３０４により取得した画像Ｇ７に重畳表示される。
【００６７】
次いで、メイン制御部１０３は、動画データ領域２０２に関連している第２音声データ領域２０４〜第５音声データ領域２０７の全てを抽出して処理を行ったか否かを判定する（Ｓ３０８）。本実施形態では、図３に例示したように、動画データ領域２０２について４つの切り出し対応の音声データが関連づけられているため、以後、Ｓ３０５〜３０８までの処理を３回繰り返すことで、図１３（ｂ）に示すような画像Ｇ８を得ることが可能となる。
【００６８】
次いで、メイン制御部１０３は、上述したＳ３０５〜Ｓ３０７により全てのメタデータに関する情報を重畳表示した静止画像、すなわち、図１３（ｂ）に例示した画像Ｇ８を表示部１０５に表示させる。表示装置１は、この画像Ｇ８を音声データを選択する選択画面とし、重畳表示された切り出し枠Ｇ８１〜Ｇ８４の選択を遠隔操作装置２から受け付けることで、切り出されて再生される動画像がユーザにとって直感的で判りやすい選択画面を提供することが可能となる。
【００６９】
次いで、メイン制御部１０３は、第２実施形態と同様、再生データに含まれるメタデータに変更があるか否かを判定する（Ｓ３１０）。メタデータに変更がない場合（ＮＯ）、メイン制御部１０３は、Ｓ３１０の処理を繰り返して行い、メタデータの変更があるまで待機する。
【００７０】
メタデータに変更が有る場合（ＹＥＳ）、メイン制御部１０３は、変更が確認された時点の動画像フレームを静止画像として、再生データに含まれる動画像データから取得する（Ｓ３１１）。次いで、メイン制御部１０３は、変更があったメタデータの解析を行い、変更があった部分画像領域やアイコン情報などを取得する（Ｓ３１２）。次いで、メイン制御部１０３は、Ｓ３１２で取得した情報に基づいて、部分画像領域を示す枠、アイコン情報、音声情報など、静止画像への重畳表示させる画像を更新する（Ｓ３１３）。
【００７１】
次いで、メイン制御部１０３は、遠隔操作装置２からの操作指示に基づいて、切り出し再生モードの終了の有無を判定する（Ｓ３１４）。切り出し再生モードを終了しない場合（ＮＯ）、メイン制御部１０３は、Ｓ３１０の処理へ戻り、引き続きメタデータの変更による部分画像領域の変化をチェックする。
【００７２】
上述した処理により、図１３（ｂ）に示すように、画像Ｇ８には、動画データ領域２０２から取得した全画像領域の静止画像上に、対応するタイムスタンプにおける各音声データに関連する部分画像領域の情報（切り出し枠Ｇ８１〜Ｇ８４等）が重畳表示される。また、この画像Ｇ８には、再生データに含まれるメタデータの変更と連動して動画データ領域２０２から取得した全画像領域の静止画像及び重畳表示した情報が更新されるため、入力された再生データに基づく最新画像が表示されることとなる。具体的には、画像Ｇ８は、スライドショーのように、メタデータの変更と連動して静止画像及び重畳表示した情報が更新される。また、画像Ｇ８は、重畳表示の情報として、切り出し枠Ｇ８１〜Ｇ８４に併せて音声データを示す文字情報やアイコンが表示されるため、ユーザが直感的に識別しやすくなっている。ユーザは、切り出し枠Ｇ８１〜Ｇ８４の中から所望の部分画像領域を選択することにより、その領域に表示されている映像での切り出し再生を楽しむことが可能である。この領域の選択は遠隔操作装置２を用いて行われる。すなわち、表示装置１では、遠隔操作装置２からの操作により、ユーザが所望する切り出し映像を選択して、対応する音声データに関連した切り出し再生を行うことが可能である。
【００７３】
以上のように、表示装置１は、画像データと、該画像データが表す画像領域中に予め定められた複数の部分画像領域の各々に関連づけられた複数の音声データと、が含まれる再生データの入力をチューナ１０２、記録部１０７から受け付ける。また、表示装置１は、メイン制御部１０３の制御の下で、入力された再生データから、複数の音声データを抽出する。また、表示装置１は、メイン制御部１０３の制御の下、抽出された複数の音声データの少なくとも１つをユーザが選択するための選択画面を表示し、選択画面により選択された音声データに関連づけられた部分画像領域の画像を表示する。従って、表示装置１は、画像データと、この画像データが表す画像領域中の複数の部分画像領域に関連付けられた複数の音声データを有する再生データを再生する際、表示する部分画像領域を容易に選択可能となる。
【００７４】
なお、上述した実施の形態における記述は、一例を示すものであり、これに限定するものではない。上述した実施の形態における構成及び動作に関しては、適宜変更が可能である。例えば、上記実施形態では、再生データに含まれる画像データを動画像データとして説明したが、静止画像データであってもよい。
【００７５】
また、上記実施形態では、１つの音声データの選択を受け付けて、その音声データに関連付けられた部分画像領域の画像を表示する構成を例示したが、特に音声データの選択数は限定しない。例えば、表示装置１は、複数の音声データの選択を受け付け、その選択された複数の音声データに関連付けられた部分画像領域の画像を表示画面に分割表示する構成であってもよい。
【００７６】
また、上記実施形態では、ユーザからの操作入力を遠隔操作装置２から受け付ける構成を例示したが、特に上記ユーザインターフェイスに限定しない。例えば、キーボードや操作パネルなど、他のユーザインターフェイスから操作入力を受け付けてもよい。
【００７７】
また、上記実施形態では、再生データに含まれる動画像データの解像度、画像サイズ、階調数などについては、特に規定することはないが、切り出し後の再生を良好に行う程度の解像度、例えば２０００×４０００画素以上を保持することが望ましい。
【００７８】
（他の実施形態）
上述の実施形態は、システム或は装置のコンピュータ（或いはＣＰＵ、ＭＰＵ等）によりソフトウェア的に実現することも可能である。従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００７９】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００８０】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。つまり、上述の実施形態を実現するためのプログラムファイルをクライアントコンピュータに提供するサーバ装置も本発明の一つである。
【００８１】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。また、上述の実施形態を実現するためのコンピュータプログラムは、すでにコンピュータ上で稼働するＯＳの機能を利用するものであってもよい。さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【００８２】
【図１】本発明に係る表示装置の使用形態を例示する概念図である。
【図２】表示装置の機能的構成を模式的に示したブロック図である。
【図３】再生データのデータフォーマットの概要を例示する概念図である。
【図４】メタデータファイルの内容を例示する概念図である。
【図５】記録部のフォルダ構成を例示する概念図である。
【図６】メタデータファイルのデータフォーマットを例示する概念図である。
【図７】表示装置の第１実施形態に係る動作を例示するフローチャートである。
【図８】（ａ）は、表示画面を例示する概念図であり、（ｂ）は、表示画面を例示する概念図である。
【図９】（ａ）は、表示画面を例示する概念図であり、（ｂ）は、表示画面を例示する概念図である。
【図１０】表示装置の第２実施形態に係る動作を例示するフローチャートである。
【図１１】（ａ）は、表示画面を例示する概念図であり、（ｂ）は、表示画面を例示する概念図である。
【図１２】表示装置の第３実施形態に係る動作を例示するフローチャートである。
【図１３】（ａ）は、画像領域を示す切り出し枠を重畳表示した画像を例示する概念図であり、（ｂ）は、表示部に表示する画像を例示する概念図である。
【図１】
0005142830.tif 000002
【図２】
0005142830.tif 000003
【図３】
0005142830.tif 000004
【図４】
0005142830.tif 000005
【図５】
0005142830.tif 000006
【図６】
0005142830.tif 000007
【図７】
0005142830.tif 000008
【図８】
0005142830.tif 000009
【図９】
0005142830.tif 000010
【図１０】
0005142830.tif 000011
【図１１】
0005142830.tif 000012
【図１２】
0005142830.tif 000013
【図１３】
0005142830.tif 000014